(57)【要約】【課題】  電子ビューファインダーと大画面の液晶パネルの機能を維持したまま低価格化と多機能化を達成可能な撮像装置及び方法を提供する。【解決手段】  被写体を撮影するための本体と、前記本体に収納された第１の状態と前記本体から引き出された第２の状態を有して前記本体に結合され、前記被写体を表示する表示部とを有し、当該表示部は、前記第１の状態と前記第２の状態で表示位置及び表示サイズを変更することを特徴とする撮像装置を提供する。【選択図】      図１
2005176064.tif 000002
【特許請求の範囲】
【請求項１】
被写体を撮影するための本体と、
前記本体に収納された第１の状態と前記本体から引き出された第２の状態を有して前記本体に結合され、前記被写体を表示する表示部とを有し、
当該表示部は、前記第１の状態と前記第２の状態で表示位置及び表示サイズを変更することを特徴とする撮像装置。
【請求項２】
前記表示サイズの変更は、前記被写体の拡大及び縮小を含むことを特徴とする請求項１記載の撮像装置。
【請求項３】
前記表示部が前記本体に収納されているかを検出する検出部と、
前記検出部による検出結果に応じて前記表示部の前記表示サイズを変更する制御部とを更に有することを特徴とする請求項１記載の撮像装置。
【請求項４】
前記本体はファインダー用窓を有し、
前記第１の状態において、前記表示部は前記ファインダー用窓に対応する位置とサイズに前記表示位置及び前記表示サイズを変更することを特徴とする請求項１記載の撮像装置。
【請求項５】
前記表示部は、表示可能な複数の領域に対応し、前記領域を照明する複数のバックライトを有し、
前記第１の状態において表示に使用されない部分に対応するバックライトを消灯することを特徴とする請求項４記載の撮像装置。
【請求項６】
前記撮像装置は、デジタルカメラ又はデジタルビデオカメラであることを特徴とする請求項１乃至５のうちいずれか一項記載の撮像装置。
【請求項７】
被写体を撮影するための本体と、前記本体に結合され、前記被写体を表示する表示部とを有する撮像装置を利用した撮像方法であって、
前記表示部の前記本体に対する位置を検出するステップと、
前記検出ステップによる結果に応じて前記表示部の表示位置及び／又は表示サイズを制御するステップとを有することを特徴とする方法。
【請求項８】
前記表示部は、表示可能な複数の領域に対応し、前記領域を照明する複数のバックライトを有し、
前記変更ステップは、前記バックライトの点灯及び消灯を更に制御することを特徴とする請求項７記載の方法。
【発明の詳細な説明】
【技術分野】
【０００１】
本発明は、一般に、撮像装置及び方法に係り、特に、被写体を表示する表示部における表示の制御に関する。本発明は、デジタルカメラやデジタルビデオカメラに好適である。
【背景技術】
【０００２】
近年のデジタルカメラやデジタルビデオカメラなどの撮像装置の普及により、かかる撮像装置の高機能化、多機能化及び低価格化は益々要求されている。かかる撮像装置の一例として、被写体を表示する電子ビューファインダー及び液晶パネルの両方を装備し、電子ビューファインダーを用いた撮像及び再生と、液晶パネルを用いた撮像及び再生を行うことを可能にしたデジタルカメラは既に従来から提案されている（例えば、特許文献１を参照のこと）。
【特許文献１】特開２００３−１４３４４５号公報
【発明の開示】
【発明が解決しようとする課題】
【０００３】
しかしながら、従来の撮像装置は、表示部の２カ所に液晶を使用しているために必ずしも低価格化と多機能化の要請を満足していなかった。その一方、いずれかの機能を削除すれば、撮像装置の高機能化が損なわれる。
【課題を解決するための手段】
【０００４】
そこで、本発明は、電子ビューファインダーと大画面の液晶パネルの機能を維持したまま低価格化と多機能化を達成可能な撮像装置及び方法を提供することを例示的目的とする。
【０００５】
本発明の一側面としての撮像装置は、被写体を撮影するための本体と、前記本体に収納された第１の状態と前記本体から引き出された第２の状態を有して前記本体に結合され、前記被写体を表示する表示部とを有し、当該表示部は、前記第１の状態と前記第２の状態で表示位置及び表示サイズを変更することを特徴とする。前記表示サイズの変更は、前記被写体の拡大及び縮小を含んでもよい。前記撮像装置は、前記表示部が前記本体に収納されているかを検出する検出部と、前記検出部による検出結果に応じて前記表示部の前記表示サイズを変更する制御部とを更に有してもよい。前記本体はファインダー用窓を有し、前記第１の状態において、前記表示部は前記ファインダー用窓に対応する位置とサイズに前記表示位置及び前記表示サイズを変更することが好ましい。前記表示部は、表示可能な複数の領域に対応し、前記領域を照明する複数のバックライトを有し、前記第１の状態において表示に使用されない部分に対応するバックライトを消灯することが好ましい。前記撮像装置は、例えば、デジタルカメラ又はデジタルビデオカメラである。
【０００６】
本発明の別の側面としての撮影方法は、被写体を撮影するための本体と、前記本体に結合され、前記被写体を表示する表示部とを有する撮像装置を利用した撮像方法であって、前記表示部の前記本体に対する位置を検出するステップと、前記検出ステップによる結果に応じて前記表示部の表示位置及び／又は表示サイズを制御するステップとを有することを特徴とする。前記表示部は、表示可能な複数の領域に対応し、前記領域を照明する複数のバックライトを有し、前記変更ステップは、前記バックライトの点灯及び消灯を更に制御してもよい。
【０００７】
本発明の更なる目的又はその他の特徴は、以下、添付図面を参照して説明される好ましい実施例によって明らかにされるであろう。
【発明の効果】
【０００８】
本発明によれば、電子ビューファインダーと大画面の液晶パネルの機能を維持したまま低価格化と多機能化を達成可能な撮像装置及び方法を提供することができる。
【発明を実施するための最良の形態】
【０００９】
以下、添付図面を参照して本発明の一実施形態としての撮像装置１００について説明する。ここで、図１は、撮像装置１００の要部概略ブロック図である。また、図２は、撮像装置１００は、例示的にデジタルビデオカメラとして具体化されている。撮像装置１００は、図２に示すように、表示部１２０と、本体１３０とを有する。
【００１０】
本体１３０は撮像手段、各種制御系を含んでおり、具体的には、レンズ１０１と、レンズ制御部１０２と、ＣＣＤ撮像素子１０３と、制御部１０４と、ＣＣＤ撮像回路と、信号処理（又は記録回路）１０６と、再生回路１０７及び１０８と、バックライト制御部１１１と、検出手段１１２と、記憶装置１１３と、外部出力端子１１４などから構成される。レンズ系１０１はマスタレンズ・焦度調整用レンズ・変倍レンズ等により構成されている。レンズ制御部１０２はレンズ系１０１の焦度調整用レンズ・変倍レンズ等を駆使する駆動部ならびに、これを制御する制御部、オートフォーカスを制御する制御部を含んで構成されている。信号処理１０６は、デジタルビデオカメラの内部信号処理に必要な信号処理を含んで構成されている。
【００１１】
検出手段１１２は、表示部１２０が本体１３０内に格納されているか、本体１３０から引き出されているかを判断する手段と、前記判断結果を制御部１０４への送信する手段とを有している。検出手段１１２の構成及び検出方法には図２に示すいずれかの方法のうち一つもしくは複数を用いる。ここで、図２は、検出手段１１２の検出方法を示す概略平面図ある。
【００１２】
表示部１２０は、本体１３０に収納された状態と本体１３０から引き出された状態を有して本体１３０に結合され、被写体を表示する。表示部１２０は、液晶パネル１２１を有し、液晶パネル１２１の表示位置とサイズを変更することができる。また、表示部１２０は、表示可能な複数の領域に対応してかかる領域を照明する複数のバックライト１２３を有し、バックライト１２３は、バックライト制御部１１１によって個別的に点灯及び消灯が可能である。
【００１３】
まず、図２（ａ）に示す撮像装置１００の開閉式の蓋１３１を用いた表示部１２０の検出方法について説明する。本体１３０の表示部１２０の引き出し面に、液晶パネル１２１の表示面とは逆側に開閉する構成の蓋１３１を取り付ける。使用者が表示部１２０を本体１３０内に格納し、ファインダー表示として利用する場合には、表示部１２０を本体１３０内へ完全に押し込んだ後に、蓋１３１を閉じる。表示部１２０を本体１３０内から引き出して液晶パネル１２１の全面を利用する場合には、蓋１３１を開き表示部１２０を引き出す。検出手段１１２は、蓋１３１の開閉を検知し、開いている状態では、表示部１２０が引き出されているものと判定し、閉じている場合は表示部１２０が本体内へ格納されているものと判定する。
【００１４】
次に、図２（ｂ）に示す撮像装置１００の押し込みスイッチ１３３を用いた検出方法について説明する。撮像装置１００は、本体１３０内の表示部１２０の引き出し方向とは逆の位置に押し込みスイッチ１３３を有し、本体１３０内に表示部１２０を押し込んでファインダー表示する場合には、押し込みスイッチ１３３が押され、表示部１２０を本体１３０から引き出して全面表示する場合には、押し込みスイッチ１３３の押されている状態が解除される。検出手段１１２は、押し込みスイッチ１３３のオン・オフ状態から液晶パネル１２１位置の検出を行い、押し込みスイッチ１３３が押されているオン状態では、表示部１２０が本体１３０内へ格納されていると判定し、押し込みスイッチ１３３が押されていないオフ状態では、表示部１２０が本体１３０内へ格納されるものと判定する。
【００１５】
最後に、図２（ｃ）に示す撮像装置１００の引き出し検出スイッチ１３５を用いた検出方法について説明する。本体１３０内の表示部１２０の引き出し側の上部にローラー１３６を持ち、ローラー１３６は、表示部１２０を本体１３０内に格納した時点で表示部１２０よりわずかに外側で、表示部１２０の下面よりわずかに上に配置される。液晶パネル１２１を本体１３０内に格納してファインダー表示する場合は、引き出し検出スイッチ１３５の傾きはないが、液晶パネル１２１を本体１３０から引き出して全面表示を行おうとする際、表示部１２０の引き出し動作で、引き出し検出スイッチ１３５は押し下げられる。検出手段１１２は、引き出し検出スイッチ１３５の状態から液晶パネル１２１の位置を検出し、引き出し検出スイッチ１３５が押し下げられている状態では液晶パネル１２１が本体１３０から引き出されていると判断し、押し下げられていない状態では、液晶パネル１２１が本体１３０内に格納されていると判断する。
【００１６】
制御部１０４が図示しないＣＣＤドライバを起動し、ＣＣＤ撮像回路１０５を起動すると、被写体は撮像手段を通じて信号処理回路（記録回路）１０６へと取り込まれ、所定の信号処理が行われる。信号処理回路１０６はまた、上記動作とともに、輝度信号の一部をレンズ制御部１０２へ送出する。レンズ制御部１０２は、輝度信号より高周波信号を摘出し、摘出した高周波信号に基づき演算等を行い、それにより得た合焦情報により焦点調整用のレンズを合焦位置にもたらす。ズーム操作が行われると、レンズ制御部１０２は変倍レンズを駆動して被写体像を希望のサイズへ拡大または縮小を行う。
【００１７】
制御部１０４は図示しない記録開始ボタンが押されると、ＣＣＤ撮像素子１０３にそれまで蓄積されたデータの転送を開始し、撮影者が記録を終了するまで転送を続ける。ＣＣＤ撮像素子１０３から被写体の電気信号は信号処理装置１０６に送出される。
【００１８】
一方、制御部１０４は表示部１２０が本体１３０から引き出されているか、本体１３０内に格納されているかの情報を得る。ここで、図４を参照して、制御部１０４の動作について説明する。まず、電源が点灯すると、表示部１２０の位置を検出手段１１２を介して検出する（ステップ１００２）。制御部１０４は、検出手段１１２からかかる情報を取得すると、表示部１２０が収納状態であるか引き出し状態であるかを判断する（ステップ１００４）。
【００１９】
制御部１０４は、液晶パネル１２１が本体１３０から引き出されていると判断した場合（ステップ１００４）、図３（ｂ）に示すように、バックライト制御部１１１を制御して液晶パネル１２１の全面のバックライト１２３の電源を供給し点灯する（ステップ１００６）。
【００２０】
一方、制御部１０４は、表示部１２０が本体１３０内に格納されていると判断した場合（ステップ１００４）、図３（ａ）に示すように、その情報を信号処理１０６へ送って表示位置と表示サイズを変更すると共に（ステップ１００８）、バックライト制御部１１１を制御して本体１３０のファインダー用の窓１３９に相当する部分以外の液晶パネル１２１のバックライト１２３の電源供給をカットする（ステップ１０１０）。ここで、図３は、撮像装置１００の液晶パネル１２１の画像表示及び及びバックライト１２３の点灯を示す概略平面図である。制御部１０４から表示部１２０の位置情報を受け取った信号処理１０６は、液晶パネル１２１が本体１３０内に格納されている場合には、全画面表示を行う為の処理方法と、ファインダー表示を行うための処理方法との２種類を用意する。ファインダー表示用の画像を作るために必要な、本体のファインダー用の窓１３９のサイズと位置は、予め回路の中に情報として格納しておき、初めに全画面表示用の信号処理を済ませたあと、ファインダー用のサイズに縮小し、縮小画像の置き場所の位置決めを行う。上記２種類の画像のうち、全画面表示用のものは再生回路１０７を用いて外部出力１１４へ出力する。ファインダー表示用に縮小と位置決めされた画像は、再生回路１０８を用いて液晶パネル１２１へ表示する。また、液晶パネル１２１が本体から引き出されて全画面表示を行うように情報を受け取っている場合は、上記全画面表示用の画像のみを用意し、再生回路１０７及び再生回路１０８へ出力し、外部出力１１４及び液晶パネル１２１へ表示する。
【００２１】
次に、再生について説明する。図示しない再生ボタンが押されると記憶媒体１１３から読み出された記録情報は、信号処理１０６を経てもとの撮像画像に復調される。このとき、制御部１０４は、記録時と同様に検出手段１１２から液晶パネル１２１の位置情報を取得し、その情報を信号処理１０６へ送るとともに、バックライト制御部１１１を用いて本体１３０についているファインダー用の窓１３９に相当する部分以外の液晶パネルのバックライト１２３の電源供給をカットする。液晶パネルが本体から引き出されている場合は、図３（ｂ）に示す撮像装置１００のバックライト制御部１１１を用いて液晶パネル１２１の全面に対応するバックライト１２３の電源を供給し点灯する。
【００２２】
制御部１０４から液晶パネル１２１の位置情報を受け取った信号処理１０６は、液晶パネル１２１が本体１３０内に格納されている場合は、記録媒体１１３から読み出し復調した撮像画像を、全画面表示を行う為のものと、ファインダー表示を行う為のものと２種類を用意し、全画面表示用のものは再生回路１０７を用いて外部出力１１４へ出力し、ファインダー表示用の画像は、再生回路１０８を用いて液晶パネル１２１へ表示する。また、液晶パネル１２１が本体１３０から引き出されて全画面表示を行うように情報を受け取っている場合は、全画面用の画像のみを用意し、再生回路１０７および再生回路１０８へ出力し、外部出力１１４及び液晶パネル１２１へ表示する。
【００２３】
デジタルビデオカメラ等の動画用撮像装置は、これらの処理を連続的に繰り返すことで、デジタルカメラ等の静止画用撮像装置は、これら一連の処理を単一回数行うことで、引き出し式の液晶パネルの引き出し状態に応じて、液晶パネル１枚をファインダー表示と全画面表示に兼用で用い、ファインダー表示の際に画像を表示しない部分の電力供給をカットすることが可能となる。
【００２４】
本実施形態の撮像装置によれば、液晶パネル１２１は従来の電子ビューファインダーの機能も兼ねているので多機能化を果たし、また、電子ビューファインダーの機能を維持しているので高機能化を維持している。また、従来２つ必要であった液晶部を１つにしたので部品点数の削減による小型化と低価格化を達成することができる。また、電子ビューファインダー専用のバックライトも不要であるのでその分の低価格化と小型化を達成することができる。
【図面の簡単な説明】
【００２５】
【図１】本発明の一実施形態としての撮像装置を示す概略ブロック図である。
【図２】図１に示す撮像装置の表示部位置検出手段の検出方法を示す概略平面図である。
【図３】図１に示す撮像装置の液晶パネルの画像表示及び及びバックライトの点灯を示す概略平面図である。
【図４】図１に示す撮像装置の制御部の動作を説明するためのフローチャートである。
【符号の説明】
【００２６】
１００            撮像装置
１０４            制御部
１１１            バックライト制御部
１１２            検出手段
１２０            表示部
１２１            液晶パネル
１２３            バックライト
１３０            本体
１３３            押し込み検出スイッチ
１３５            引き出し検出スイッチ
１３６            ローラー
１３９            窓
【図１】
2005176064.tif 000003
【図２】
2005176064.tif 000004
【図３】
2005176064.tif 000005
【図４】
2005176064.tif 000006